(57)【要約】本発明は、後置電力増幅器（ＰＡ）浄化フィルタを必要とせず、充分に雑音が小さい無線電話用無線周波数（ＲＦ）送信（Ｔｘ）信号の生成が可能な装置について記述する。変調器（７１０）によって生成されるＴｘ信号は、Ｔｘ信号の周波数に基づき第１及び第２スイッチ（７１４及び７２８）によって異なるフィルタを介して送信され、これらのフィルタ（７２０及び７２４）は、各々、特定のＴＸ帯域内における或る所定領域のノイズフロアを低減するようになっている。Ｔｘ信号のノイズフロアは、ＰＡ（７３２）の非線形性によって生じる相互変調現象により折り返し雑音の生成に寄与する。しかしながら、Ｔｘ帯域内のノイズフロアの一部がＴｘ信号用の適切な帯域通過フィルタを通過することによって低減されるため、また折り返し雑音生成が非線形現象であるため、その結果低減されたノイズフロアは、ＰＡ（７３２）によって生成された折り返し雑音に殆ど寄与しない。
2005507206.tif 000002
【特許請求の範囲】
【請求項１】
特定のＴｘ帯域内の無線周波数（ＲＦ）送信（Ｔｘ）信号を別々の経路に導くための装置であって、
スイッチと、
切換済Ｔｘ信号を受信して第１フィルタ処理済Ｔｘ信号を生成するために前記スイッチに接続された第１フィルタと、
切換済Ｔｘ信号を受信して第２フィルタ処理済Ｔｘ信号を生成するために前記スイッチに接続された第２フィルタと、を備え、
前記スイッチは、前記特定のＴｘ帯域内の前記Ｔｘ信号のチャンネル割り当てに基づき、前記第１及び第２フィルタの内の１つに接続する装置。
【請求項２】
請求項１に記載の装置であって、
前記第１フィルタは、前記Ｔｘ帯域内に第１通過帯域を有し、また、前記第１通過帯域外に前記第１通過帯域内よりも高い挿入損失を提供する装置。
【請求項３】
請求項１に記載の装置であって、
前記第２フィルタは、前記Ｔｘ帯域内に前記第１通過帯域と異なる第２通過帯域を有し、また、前記第２通過帯域外に前記第２通過帯域内よりも高い挿入損失を提供する装置。
【請求項４】
請求項１に記載の装置であって、
前記第１通過帯域と前記第２通過帯域は、双方共前記Ｔｘ帯域内にあり、共通の周波数範囲を有さない装置。
【請求項５】
請求項１に記載の装置であって、
前記第１通過帯域と前記第２通過帯域は、双方共前記Ｔｘ帯域内にあり、部分的に重なり合う装置。
【請求項６】
請求項１に記載の装置であって、更に、
前記スイッチに接続された変調器を備え、所望のＲＦＴｘ周波数にほぼ等しいＴｘ信号周波数を有する前記Ｔｘ信号を生成する装置。
【請求項７】
請求項１に記載の装置であって、更に、
前記第１及び前記第２フィルタに接続された第２スイッチを備え、前記第２スイッチは、前記特定のＴｘ帯域内の前記チャンネル割当てに基づき、前記第１及び前記第２フィルタの内の１つに接続され、また、第２切換済Ｔｘ信号を生成する装置。
【請求項８】
請求項１に記載の装置であって、更に、
前記第２切換済Ｔｘ信号を受信し、増幅済Ｔｘ信号を生成し、ＰＡ出力部において送信するために、前記第２スイッチに接続された電力増幅器（ＰＡ）を備える装置。
【請求項９】
特定のＴｘ帯域内のＲＦＴｘ信号を別々の経路に導くことによって、雑音が低減された無線周波数（ＲＦ）送信（Ｔｘ）信号を生成するための装置であって、
所望のＲＦＴｘ周波数にほぼ等しいＴｘ信号周波数を有する前記Ｔｘ信号を生成する変調器と、
前記Ｔｘ信号を受信するために前記変調器に接続された第１スイッチと、
第１切換済Ｔｘ信号を受信し第１フィルタ処理済Ｔｘ信号を生成するために前記第１スイッチに接続され、前記Ｔｘ帯域内に第１通過帯域を有し、また、前記第１通過帯域外に前記第１通過帯域内よりも高い挿入損失を提供する第１フィルタと、
前記第１切換済Ｔｘ信号を受信し第２フィルタ処理済Ｔｘ信号を生成するために前記第１スイッチに接続され、前記Ｔｘ帯域内の前記第１通過帯域と異なる第２通過帯域を有し、また、前記第２通過帯域外に前記第２通過帯域内よりも高い挿入損失を提供する第２フィルタと、
それぞれ前記第１および前記第２フィルタ処理済Ｔｘ信号を受信するために前記第１及び第２フィルタに接続され、第２切換済Ｔｘ信号を生成する第２スイッチと、
前記第２切換済Ｔｘ信号を受信し、増幅済Ｔｘ信号を生成し、ＰＡ出力部において送信するために、前記第２スイッチに接続された電力増幅器（ＰＡ）と、を備え、
前記第１及び前記第２スイッチは、前記特定のＴｘ帯域内の前記Ｔｘ信号のチャンネル割り当てに基づき、前記第１及び前記第２フィルタの内の１つに接続する装置。
【請求項１０】
特定のＴｘ帯域内のＲＦＴｘ信号を別々の経路に導くことによって、雑音が低減された無線周波数（ＲＦ）送信（Ｔｘ）信号を生成する方法であって、
Ｔｘ信号のチャンネル割り当てに基づき前記Ｔｘ信号用の、各々帯域通過フィルタを有する複数経路の内の１つである、適切な経路を決定する段階と、
前記Ｔｘ信号用の前記適切な経路を確立する段階と、
前記適切な経路を介して前記Ｔｘ信号を送信する段階と、を備える方法。
【請求項１１】
請求項１０に記載の方法であって、
前記複数経路各々の前記帯域通過フィルタは、前記Ｔｘ帯域内に通過帯域を有し、また他の帯域通過フィルタの通過帯域とは異なる方法。
【請求項１２】
請求項１０に記載の方法であって、
前記適切な経路は、前記Ｔｘ信号に割り当てられた前記チャンネルを包含する前記通過帯域を有する前記帯域通過フィルタを備える方法。
【発明の詳細な説明】
【０００１】
技術分野
本発明は、一般的に無線通信の分野に関する。特に、本発明は、折り返し選択帯域フィルタ処理を利用して低雑音送信信号を生成する送信機構造に関する。
【０００２】
背景技術
新世代の無線電話が導入される際、新しい電話は、能力や効率がより優れていることが期待される。このような新しい電話は、時分割多元接続（ＴＤＭＡ）や汎欧州デジタル移動電話方式（ＧＳＭ）等、従来、互換性が無かった複数のシステムや規格をサポートでき、また、寸法が大きくなること無く、より長い通話時間を提供し得る。例えば、ＴＤＭＡやＧＳＭシステムにおいて動作することが予想される無線電話は、４つの異なった無線周波数（ＲＦ）帯域、即ち、８００ＭＨｚ、９００ＭＨｚ、１８００ＭＨｚ、及び１９００ＭＨｚにおいて動作することが必要である。
【０００３】
無線電話で用いられる今日の一般的な送信機（Ｔｘ）構造は、電話が動作する特定のＲＦ帯域やシステム用の個々の標準規格によって課せられる指定された受信機（Ｒｘ）帯域雑音要求事項を電話が満たすために、後置電力増幅器（ＰＡ）フィルタを用いる。Ｒｘ帯域に寄与する雑音源の１つは、一般にＰＡ雑音折り返しと称するメカニズムによって生成される。ＰＡ雑音折り返しは、相互変調（ＩＭ）現象として説明されるが、この場合、Ｔｘインバンド雑音は、極めて大きな電力の搬送信号でＰＡデバイスにおいて相互変調（即ち、ミキシング）され、また、その結果生じる雑音がシステムのＲｘ帯域に生じる。Ｔｘ雑音から変換されるＲｘ帯域雑音のレベルは、ＰＡデバイスの変換損失に依存する。
【０００４】
図１は、無線電話用の従来のＴｘ構成を示す。図２は、パーソナル・コミュニケーション・システム（ＰＣＳ）で用いるＴｘ及びＲｘ帯域を示す。Ｔｘ帯域は、６０ＭＨｚの帯域幅ＴｘＢＷ２１０を有し、最小Ｔｘ周波数Ｔｘｍｉｎ２１２が、１８５０ＭＨｚであり、最大Ｔｘ周波数Ｔｘｍａｘ２１４が１９１０ＭＨｚである。Ｒｘ帯域は、６０ＭＨｚの帯域幅ＲｘＢＷ２１６を有し、最小Ｒｘ周波数Ｒｘｍｉｎ２１８が、１９３０ＭＨｚであり、最大Ｒｘ周波数Ｒｘｍａｘ２２０が、１９９０ＭＨｚである。ＴｘとＲｘ帯域との間の周波数ギャップＩｎｔ２２２は、２０ＭＨｚである。図３は、１９１０ＭＨｚのＴｘｍａｘ３１６に等しい搬送周波数ｆｃ３１４で送信を行なう無線電話におけるＴｘ信号３１２のフィルタ１１４の前にある一般的な変調器１１０の出力部における回線１１２上に存在するノイズフロアＮｆｌ３１０を示す。図４に示すように、一般的に、フィルタ１１４は、Ｔｘ帯域４２２では挿入損失ＴｘＩＬ４１０が低く、Ｔｘ帯域外では、挿入損失ＲｘＩＬ４１２が非常に高い。図５に示すように、ｆｃのＴｘ信号５１０及びそれに伴う雑音がフィルタ１１４を通過する場合、Ｔｘ帯域５１２における回線１１６上に存在するノイズフロアは、挿入損失ＴｘＩＬ５１６分だけＮｆｌ５１４からＮＴｘ５１８に減少し、またＲｘ帯域５２０におけるノイズフロアは、挿入損失ＲｘＩＬ５２２分だけＮｆｌ５１４からＮＲｘ５２４に減少する。
【０００５】
ＰＡ１１８の出力部で観測された信号を図６に図示する。ＰＡ１１８は、Ｔｘ信号５１０及びＮＴｘ５１８によって利得係数ＧＰＡ６１０分だけ、ＮＴｘ６１４と共にＴｘ信号６１２を増幅し生成する。更に、ＰＡ１１８における非線形性により、図６に示すように、１８５０ＭＨｚから１９１０ＭＨｚまでのノイズフロアＮＴｘ５１８は、ｆｃ＝１９１０ＭＨｚに位置するＴｘ信号６１２を中心にして効果的に折り返され、また、変換損失Ｌｆｏｌｄ６１６で変換され、１９１０ＭＨｚから１９７０ＭＨｚまでＮＲｘ＿ｏｕｔ６１８として現れる。ＮＲｘ＿ｏｕｔ６１８の一部６２０は、１９３０ＭＨｚから１９７０ＭＨｚまでＲｘ帯域６２２と部分的に重なり合っており、標準規格によって課せられたシステムＲｘ帯域雑音要求事項６２４を満たすようにしなければならない。
【０００６】
４つの異なる帯域において動作するようになっている無線電話の場合、Ｒｘ雑音要求事項は、図１に示す１２２等の４つの異なる後置ＰＡフィルタを用いることが必要となり、各後置ＰＡフィルタは、具体的には、それらの帯域の１つに対するＲｘ雑音要求事項を満たすようになっている。一般に、これらの後置ＰＡフィルタは、無線電話の寸法に比べて大きく、また高価である。これらのフィルタを省くことによって、無線電話は、より小さくでき、コストを低減し得る。更に、フィルタによる挿入損失は、ＰＡが克服しなければならないものであるが、排除することによって送信機の全体的な効率が上がる。例えば、後置ＰＡフィルタによる損失が３ｄＢであり、また、所望の電力出力が３０ｄＢｍ（即ち、１ワット）である場合、損失を克服するために、ＰＡは、ＰＡの出力部において、３ｄＢ以上の電力、即ち、３３ｄＢｍ（即ち、２ワット）を生成する必要がある。このことは、望ましくない雑音を低減するために、生成された電力の半分を失わなければならないことを意味する。後置ＰＡフィルタによる損失は、標準規格や用いたフィルタの種類によって課せられた要求事項に応じて変化するが、それでもなおＰＡによって生成されたＲＦ電力のかなりの部分が失われる。ＰＡの後のフィルタを省くことによって、ＰＡの出力所要電力が低減される。低減された出力所要電力によって、ＰＡの消費電力は僅かになり、このことにより通話時間が長くなり、また、より小さくて安価なＰＡデバイスを用い得る。従って、後置ＰＡフィルタやフィルタ群を省くことによって、また、より小さなＰＡデバイスやデバイス群を利用することによって、無線電話の全体的な寸法が小さくなり、またその効率を改善し得る。
【０００７】
発明の開示
本発明は、後置電力増幅器（ＰＡ）浄化フィルタを必要とせず、極めて雑音が小さい無線電話用無線周波数（ＲＦ）送信（Ｔｘ）信号の生成が可能な装置について記述する。
【０００８】
変調器によって生成されるＴｘ信号は、特定のＴＸ帯域内におけるＴｘ信号の周波数に応じて、異なるフィルタを介して送信され、これらのフィルタは、各々、特定のＴＸ帯域内における或る所定領域のノイズフロアを低減するようになっている。例えば、パーソナル・コミュニケーション・システム（ＰＣＳ）は、１８５０ＭＨｚから１９１０ＭＨｚのＴｘ帯域を有し、Ｔｘ帯域は、２つの帯域に分割されるが、１つは、１８５０ＭＨｚから１８９０ＭＨｚ、もう１つは、１８９０ＭＨｚから１９１０ＭＨｚであり、対応する周波数通過帯域を有する２つの異なるフィルタを利用し得る。生成されたＴｘ信号の周波数が１９００ＭＨｚである場合、Ｔｘ信号は、通過帯域が１８９０ＭＨｚから１９１０ＭＨｚであるフィルタを通過するように経路決定される。１８９０ＭＨｚから１９１０ＭＨｚの通過帯域を有するフィルタを通過することによって、１９００ＭＨｚのＴｘ信号のノイズフロアは、１８５０ＭＨｚから１８９０ＭＨｚのＴｘ帯域の一部を含む１８９０ＭＨｚから１９１０ＭＨｚの通過帯域外で低減される。Ｔｘ信号のノイズフロアは、ＰＡの非線形性によって生じる相互変調現象による折り返し雑音の生成に寄与する。しかしながら、Ｔｘ帯域内のノイズフロアの一部がＴｘ信号用の適切な帯域通過フィルタを通過することによって低減されるため、また折り返し雑音生成が非線形現象であるため、その結果低減されたノイズフロアは、ＰＡによって生成された折り返し雑音に殆ど寄与しない。
【０００９】
好適な実施形態の詳細な説明
本発明の好適な実施形態を図７にブロック図形式で示す。
変調器７１０は、送信される所望の無線周波数（ＲＦ）Ｔｘ信号の周波数とほぼ等しい周波数を有するＴｘチャンネル上の送信（Ｔｘ）信号を生成する。
第１スイッチ７１２は、回線７１４を介してＴｘ信号を受信するために変調器に接続されており、Ｔｘ信号をＴｘチャンネルに基づき適切な経路、回線７１６又は７１８、に導き、第１切換済Ｔｘ信号を生成する。
【００１０】
第１フィルタ７２０は、回線７１６を介して第１切換済Ｔｘ信号を受信するために第１スイッチ７１２に接続されており、回線７２２上に第１フィルタ処理済Ｔｘ信号を生成する。第１フィルタ７２０は、Ｔｘ帯域内に第１通過帯域を有し、第１通過帯域外において第１通過帯域内よりも高い挿入損失を与える。
【００１１】
第２フィルタ７２４は、回線７１８を介して第１切換済Ｔｘ信号を受信するために第１スイッチ７１２に接続されており、回線７２６上に第２フィルタ処理済Ｔｘ信号を生成する。第２フィルタ７２４は、第１通過帯域とは異なるが依然としてＴｘ帯域内にある第２通過帯域を有し、また、第２通過帯域外において第２通過帯域内よりも高い挿入損失を与える。
【００１２】
第２スイッチ７２８は、それぞれ回線７２２及び７２６を介して第１及び第２フィルタに接続されており、Ｔｘチャンネルに基づき第１又は第２フィルタ処理済Ｔｘ信号を受信し、第２切換済Ｔｘ信号を生成する。
【００１３】
電力増幅器（ＰＡ）７３０は、第２スイッチに接続されており、回線７３２を介して第２切換済Ｔｘ信号を受信し、増幅済みＴｘ信号を生成して、ＰＡ出力部において回線７３４上に送信する。
【００１４】
次の例は、ＰＣＳ帯域で動作する無線電話における本発明の好適な実施形態の動作を示す。パーソナル・コミュニケーション・システム帯域に対するこの送信機構造例のブロック図を図８に示す。
【００１５】
ＰＣＳにおけるＴｘ帯域は、約１８５０ＭＨｚから約１９１０ＭＨｚであり、また、チャンネル番号ｎに対応する周波数Ｔｘｆｒｅｑは、次の式から計算し得る。
１＜＝ｎ＜＝１９９９の場合、Ｔｘｆｒｅｑ＝０．０３０＊ｎ＋１８４９．９８（ＭＨｚ）
【００１６】
ＰＣＳにおけるＲｘ帯域は、約１９３０ＭＨｚから約１９９０ＭＨｚであり、また、チャンネル番号ｎに対応する周波数Ｒｘｆｒｅｑは、次の式から計算し得る。
１＜＝ｎ＜＝１９９９の場合、Ｒｘｆｒｅｑ＝０．０３０＊ｎ＋１９３０．０２（ＭＨｚ）
【００１７】
雑音折り返し現象は、Ｔｘ信号とＴｘ信号付近の雑音との間に相互変調を生じる非線形応答を有するＰＡによって生じる。最も高いＴｘ周波数におけるＴｘ信号の場合、折り返されてＲｘ帯域に現れ部分的に重なり得るＴｘ帯域の領域は、１８５０ＭＨｚから１８９０ＭＨｚである。Ｔｘ周波数が小さくなるにつれて、部分的に重なり合うＴｘ周波数領域は減少する。１９００ＭＨｚにおけるＴｘ信号の場合、部分的に重なり合うＴｘ帯域における周波数領域は、１８５０ＭＨｚから１８７０ＭＨｚである。従って、Ｔｘ帯域は、２つの帯域、即ち、１つは、１８５０ＭＨｚから１８９０ＭＨｚに、もう１つは、１８９０ＭＨｚから１９１０ＭＨｚに分割し得る。
【００１８】
これらの帯域を図８のフィルタに割り当てた場合、図９は、１８５０ＭＨｚ９１４から１８９０ＭＨｚ９１６の通過帯域ＴｘＰＢ１９１２を有する第１フィルタ８２０の周波数応答９１０を示し、図１０は、１８９０ＭＨｚ１０１４から１９１０ＭＨｚ１０１６の通過帯域ＴｘＰＢ１１０１２を有する第２フィルタ８２４の周波数応答１０１０を示す。フィルタ８２０及び８２４は、それぞれ、帯域内挿入損失ＩＬ１＿ｉｎ９１８及びＩＬ２＿ｉｎ１０１８、並びに、それぞれ、帯域外挿入損失ＩＬ１＿ｏｕｔ９２０及びＩＬ２＿ｏｕｔ１０２０を有する。
【００１９】
無線電話は、最初に、Ｔｘチャンネル、例えば、１９０９．９２ＭＨｚの周波数を有するチャンネル１９９８が割り当てられる。Ｔｘ信号の経路は、チャンネル割当てに基づき予め決められ、また、このチャンネルにおいて生成されたＴｘ信号が、第２フィルタ８２４の在る経路を通過しなければならないことを認識することによって、無線電話は、それぞれ第１及び第２スイッチ８１４及び８２８を適切に起動する。次に、変調器８１０は、１９０９．９２ＭＨｚの周波数でチャンネル１９９８上にＴｘ信号を生成する。変調器８１０の出力部８１２におけるこのＴｘ信号１１１０を図１１に図示する。この段階では、Ｔｘ信号１１１０に伴うノイズフロア１１１２は、相対的に均一である。
【００２０】
第１及び第２スイッチにより、Ｔｘ信号は、フィルタ８２４を介して送信され、フィルタ処理済Ｔｘ信号は、ＰＡ８３２の入力部で生成される。このフィルタ処理済Ｔｘ信号１２１０及びそれに伴うＰＡ８３２の入力部８３０におけるノイズフロア１２１２を図１２に図示する。図示したように、Ｔｘ信号１２１０に伴うノイズフロア１２１２は、もはや均一でなく、また、折り返されてＲｘ帯域１２１６において雑音として出現し得るＴｘ帯域領域１２１４は、折り返し時に、Ｒｘ帯域１２１６外で低下するフィルタ８２４の通過帯域１２２０内のノイズフロアレベル１２１８と比較して小さくなる。ノイズフロアの減少量１２２２は、フィルタ８２４の帯域外の減衰量１０２０に等しい。次に、ノイズフロアが減少したＴｘ信号１２１０は、ＰＡ８３２に進む。Ｔｘ信号に伴うノイズフロアは、ＰＡの非線形性によって生じる相互変調現象による折り返し雑音の生成に寄与する。しかしながら、Ｔｘ帯域１２２２内のノイズフロアの領域１２１４が、フィルタ８２４を通過することによって減少するため、また、折り返し雑音生成が、非線形現象であるため、領域１２１４においてその結果減少したノイズフロアは、ＰＡによって生成された折り返し雑音に殆ど寄与しない。ＰＡ８３２の出力部８３４において結果的に生じるＴｘ信号１３１０を図１３に図示する。次に、ＰＡ出力部８３４において、Ｔｘ信号１３１０は、Ｒｘ帯域雑音要求事項１３１６を満たすために後置ＰＡフィルタによって更にフィルタ処理を行なう必要がない程、Ｒｘ帯域１３１４において極めて低い雑音レベル１３１２を有する。
【００２１】
後置ＰＡフィルタを省くことによって、ＰＡは、後置ＰＡフィルタを通過するＴｘ信号が遭遇するであろう損失を克服するために余分な電力を生成する必要はもはや無く、従って、能力や寸法がより小さなＰＡデバイスを用い得る。無線電話は、少ない電力消費で同じ出力電力レベルのＲＦＴｘ信号を生成し、また、後置ＰＡフィルタが占有するであろう回路基板空間が節約され、これによって無線電話の寸法縮小が可能になる。
【００２２】
この例は、Ｔｘ帯域を網羅し、Ｔｘ帯域内において各フィルタが異なる通過帯域を有する２つの帯域フィルタを用いるＴｘ構造を備えたＰＣＳにおいて動作する無線電話について記述した。無線電話と、これが動作する高度移動電話サービス（ＡＭＰＳ）、時分割多元接続（ＴＤＭＡ）、汎欧州デジタル移動電話方式（ＧＳＭ）、符号分割多重接続（ＣＤＭＡ）、広帯域符号分割多重接続（Ｗ−ＣＤＭＡ）、及び第３世代サービス（３Ｇ）等のシステムに対する周波数有効範囲と雑音レベルの要求事項に応じて、この例で述べたように方法と構造が類似したＴｘ構造において３つ以上のフィルタを用い得る。
【００２３】
本発明は、セルラシステム用の無線電話に焦点を置く。しかしながら、これは、狭い又は広い帯域システムを利用する他の領域、限定するものではないが、双方向ポケットベル、無線電話、ケーブルモデムやＬＡＮ等の高速モデム、及びケーブルテレビ用途としてのケーブル送信等の遠隔通信伝送システムに用い得る。
【００２４】
本発明の好適な実施形態を図示説明したが、本発明はそれに限定されないことを理解されたい。数多くの修正、変更、変形、置き換え、及び等価な例が、前記請求項によって規定される本発明の精神と範囲から逸脱することなく、当業者に生じるであろう。
【図面の簡単な説明】
【図１】従来技術の代表的なＴｘ構成を示すブロック図。
【図２】従来技術のＰＣＳＴｘ及びＲｘ帯域周波数割り当てを示す図。
【図３】図１の変調器１１２の出力部に存在するノイズフロアを示す図。
【図４】図１のフィルタ１１４の周波数応答を示す図
【図５】図１のフィルタ１１４の出力部に存在するノイズフロアを示す図。
【図６】Ｒｘ帯域に折り返されたＴｘノイズフロアによる図１のＰＡ１１８の出力部に存在するノイズフロアを示す図。
【図７】本発明の分割帯域フィルタを用いる送信機構造の好適な実施形態を示すブロック図。
【図８】パーソナル・コミュニケーション・システムに対して本発明の分割帯域フィルタを用いる送信機構造の好適な実施形態を示すブロック図。
【図９】図８の第１フィルタ８２０の周波数応答を示す図。
【図１０】図８の第２フィルタ８２４の周波数応答を示す図。
【図１１】図８の変調器８１０の出力部で観測されるチャンネル１９９８上のＴｘ信号を示す図。
【図１２】図８のＰＡ８３２の入力部で観測されるチャンネル１９９８上のＴｘ信号を示す図。
【図１３】図８のＰＡ８３２の出力部で観測されるチャンネル１９９８上のＴｘ信号を示す図。
【図１】
2005507206.tif 000003
【図２】
2005507206.tif 000004
【図３】
2005507206.tif 000005
【図４】
2005507206.tif 000006
【図５】
2005507206.tif 000007
【図６】
2005507206.tif 000008
【図７】
2005507206.tif 000009
【図８】
2005507206.tif 000010
【図９】
2005507206.tif 000011
【図１０】
2005507206.tif 000012
【国際公開パンフレット】
2005507206.tif 000013
2005507206.tif 000014
2005507206.tif 000015
2005507206.tif 000016
2005507206.tif 000017
2005507206.tif 000018
2005507206.tif 000019
2005507206.tif 000020
2005507206.tif 000021
2005507206.tif 000022
2005507206.tif 000023
2005507206.tif 000024
2005507206.tif 000025
2005507206.tif 000026
2005507206.tif 000027
2005507206.tif 000028
2005507206.tif 000029
2005507206.tif 000030
【国際調査報告】
2005507206.tif 000031
2005507206.tif 000032